(57)【要約】【課題】管理対象者の個人それぞれについて適切な体調判定に基づく管理とその個人に応じた装置の制御を簡易な構成で行う体調管理装置を提供する。【解決手段】特定された個人について取得した生体情報の計測値と、当該個人について予め蓄積された生体情報の統計値とに基づいて当該個人の体調判定を行い、体調判定の結果に基づいて個人の管理制御を行う。【選択図】図１
2019192035.tif 000002
【特許請求の範囲】
【請求項１】
特定された個人について取得した生体情報の計測値と、当該個人について予め蓄積された前記生体情報の統計値とに基づいて当該個人の体調判定を行う体調判定部と、
前記体調判定の結果に基づいて前記個人の管理制御を行う管理部と、
を備える体調管理装置。
【請求項２】
判定対象者の生体情報に基づいて前記個人を特定する個人特定部と、
を備える請求項１に記載の体調管理装置。
【請求項３】
前記個人特定部は前記判定対象者の顔画像に基づいて個人を特定する
請求項２に記載の体調管理装置。
【請求項４】
前記管理部は前記個人の業務に応じた入退出制御を行う
請求項１から請求項３の何れか一項に記載の体調管理装置。
【請求項５】
前記管理部は前記体調判定の結果を所定の装置に出力する
請求項１から請求項４の何れか一項に記載の体調管理装置。
【請求項６】
特定された個人について取得した生体情報の計測値と、当該個人について予め蓄積された前記生体情報の統計値とに基づいて当該個人の体調判定を行い、
前記体調判定の結果に基づいて前記個人の管理制御を行う
体調管理方法。
【請求項７】
体調管理装置のコンピュータを、
特定された個人について取得した生体情報の計測値と、当該個人について予め蓄積された前記生体情報の統計値とに基づいて当該個人の体調判定を行う体調判定手段、
前記体調判定の結果に基づいて前記個人の管理制御を行う管理手段、
として機能させるプログラム。
【発明の詳細な説明】
【技術分野】
【０００１】
本発明は、体調管理装置、体調管理方法、プログラムに関する。
【背景技術】
【０００２】
情報通信機器の能力が向上するにしたがい管理対象者の健康状態に基づく各種制御を行う技術が利用されている。例えば特許文献１には感染症が流行したときに病原体が建物や部屋の中に侵入することを防止する技術が開示されている。また特許文献２は作業内容情報と健康状態情報とに基づいて、ユーザに対する指示処理の実行を制限する技術が開示されている。また特許文献３にはウェアラブル端末が測定した体温データを利用して、ウェアラブル端末を身に着けた従業員の就業可否を判定する技術が開示されている。
【先行技術文献】
【特許文献】
【０００３】
【特許文献１】特開２０１０−１２８９７６号公報
【特許文献２】特開２０１５−０１８５２２号公報
【特許文献３】特開２０１８−０００２７８号公報
【発明の概要】
【発明が解決しようとする課題】
【０００４】
管理対象者の個人それぞれについて適切な体調判定に基づく管理とその個人に応じた装置の制御を簡易な構成で行うことが求められている。
【０００５】
そこでこの発明は、上述の課題を解決する体調管理装置、体調管理方法、プログラムを提供することを目的としている。
【課題を解決するための手段】
【０００６】
本発明の第１の態様によれば、体調管理装置は、特定された個人について取得した生体情報の計測値と、当該個人について予め蓄積された前記生体情報の統計値とに基づいて当該個人の体調判定を行う体調判定部と、前記体調判定の結果に基づいて前記個人の管理制御を行う管理部と、を備えることを特徴とする。
【０００７】
本発明の第２の態様によれば、体調管理方法は、特定された個人について取得した生体情報の計測値と、当該個人について予め蓄積された前記生体情報の統計値とに基づいて当該個人の体調判定を行い、前記体調判定の結果に基づいて前記個人の管理制御を行うことを特徴とする。
【０００８】
本発明の第３の態様によれば、プログラムは、体調管理装置のコンピュータを、特定された個人について取得した生体情報の計測値と、当該個人について予め蓄積された前記生体情報の統計値とに基づいて当該個人の体調判定を行う体調判定手段、前記体調判定の結果に基づいて前記個人の管理制御を行う管理手段、として機能させることを特徴とする。
【発明の効果】
【０００９】
本発明によれば、管理対象者の個人それぞれについて適切な体調判定に基づく管理とその個人に応じた装置の制御を簡易な構成で行うことができる。
【図面の簡単な説明】
【００１０】
【図１】本実施系形態による管理システムの構成を示すブロック図である。
【図２】本実施系形態による体調管理装置のハードウェア構成図である。
【図３】本実施系形態による体調管理装置の機能ブロック図である。
【図４】第一の実施形態による体調管理装置の処理フローを示す第一の図である。
【図５】第一の実施形態による体調管理装置の処理フローを示す第二の図である。
【図６】第二の実施形態による管理システムの構成を示すブロック図である。
【図７】第二の実施形態による体調管理装置の処理フローを示す第一の図である。
【図８】本実施系形態による体調管理装置の最小構成を示す図である。
【発明を実施するための形態】
【００１１】
以下、本発明の一実施形態による体調管理装置を備えた管理システムを図面を参照して説明する。
図１は同実施形態による管理システムの構成を示すブロック図である。
この図で示すように管理システム１００は体調管理装置１を備える。また管理システム１００は顔画像カメラ２１及びサーマルカメラ２２と通信接続される。顔画像カメラ２１は管理対象となる人物の撮影に基づいて顔画像データを生成する。サーマルカメラ２２は管理対象となる人物の顔の赤外光を用いた撮影により赤外線画像データを生成する。体調管理装置１は顔画像カメラ２１から顔画像データを取得し、サーマルカメラ２２から赤外線画像データを取得する。顔画像カメラ２１は管理対象エリアにおいて複数設置されていてよい。またサーマルカメラ２２も管理対象エリアに複数設置されていてよい。
【００１２】
体調管理装置１は体調管理データベース１１０と生体情報データベース１２０と接続される。体調管理データベース１１０には個人ごとの体調管理情報が記録されている。体調管理情報の一例としては個人の体温に基づく体調判定結果を示す情報である。体調管理装置１はまた生体情報データベース１２０と接続される。生体情報データベース１２０には一例としては管理対象となる個人それぞれの顔の特徴情報が記録される。
【００１３】
そして体調管理装置１は、管理対象となる個人を特定し、その特定した個人の生体情報を取得する。体調管理装置１は、その個人について取得した生体情報の計測値と、当該個人について予め蓄積された生体情報の統計値とに基づいて当該個人の体調判定を行う。体調管理装置１は体調判定の結果に基づいて個人の管理制御を行う。
【００１４】
図２は体調管理装置のハードウェア構成図である。
体調管理装置１は、図２で示すようにＣＰＵ（Central Processing Unit）１０１、ＲＯＭ（Read Only Memory）１０２、ＲＡＭ（Random Access Memory）１０３、ＨＤＤ（Hard Disk Drive）１０４、インタフェース１０５、通信モジュール１０６の各ハードウェア構成を一例として備える。
【００１５】
図３は体調管理装置の機能ブロック図である。
体調管理装置１は予め記憶する体調管理プログラムを実行する。体調管理装置１のＣＰＵ１０１による体調管理プログラムの実行により、体調管理装置１は制御部１０、個人特定部１１、体調判定部１２、管理部１３の各機能部を備える。
【００１６】
制御部１０は体調管理装置１の他の機能部等を制御する。
個人特定部１１は判定対象者の生体情報に基づいて個人を特定する。
体調判定部１２は個人について取得した生体情報の計測値と、当該個人について予め蓄積された生体情報の統計値とに基づいて当該個人の体調判定を行う。
管理部１３は体調判定の結果に基づいて個人の管理制御を行う。
【００１７】
＜第一の実施形態＞
図４は第一の実施形態による体調管理装置の処理フローを示す第一の図である。
体調管理装置１が食品工場で利用される場合の例について説明する。
体調管理装置１は食品工場に入場する社員の体調管理を行う。まず食品工場の入場ゲートに顔画像カメラ２１と、サーマルカメラ２２が設置されている。顔画像カメラ２１は入場ゲートを通過する社員の顔画像データと撮影時刻とカメラＩＤとを含む第一センシング情報を体調管理装置１へ送信する。サーマルカメラ２２は社員の顔の赤外線画像データと撮影時刻とカメラＩＤとを含む第二センシング情報を体調管理装置１へ送信する。体調管理装置１は第一センシング情報と第二センシング情報とを受信する（ステップＳ１０１）。制御部１０はカメラＩＤと撮影時刻に基づいて対応する第一センシング情報に含まれる顔画像データと、第二センシング情報に含まれる赤外線画像データとの対応関係を特定する。制御部１０は顔画像データと赤外線画像データとの対応関係に基づいて、対応する第一センシング情報と第二センシング情報とを未処理を示す処理フラグに紐づけてＨＤＤ１０４等の記憶部に一時的に記録する。制御部１０は第一センシング情報と第二センシング情報を受信する度に、上記の処理を繰り返す。
【００１８】
個人特定部１１は未処理の処理フラグの情報に基づいてＨＤＤ１０４から第一センシング情報と第二センシング情報との対を特定し、その各センシング情報を読み取る（ステップＳ１０２）。制御部１０は読み取られた第一センシング情報と第二センシング情報とに紐づく処理フラグを処理済みに更新する。個人特定部１１は読み取った第一センシング情報に含まれる顔画像データを読み取る。個人特定部１１は顔画像データから顔特徴情報を抽出する。個人特定部１１は生体情報データベース１２０に記録されている多数の社員の顔特徴情報を順に読み取り、顔画像データから新たに抽出した顔特徴情報と順に比較する（ステップＳ１０３）。当該比較において個人特定部１１は比較する個人特徴情報の類似度を算出する。当該類似度の算出は公知の技術を用いればよい。個人特定部１１は顔画像データから新たに抽出した顔特徴情報との類似度が所定の閾値以上であって最も類似度が高い顔特徴情報を、生体情報データベース１２０に記録されている多数の顔特徴情報の中から特定する（ステップＳ１０４）。個人特定部１１は特定した顔特徴情報に紐づいて生体情報データベース１２０に記録されている社員ＩＤを特定する（ステップＳ１０５）。この社員ＩＤは顔画像データの顔に対応する社員を特定する識別情報である。個人特定部１１は社員ＩＤを体調判定部１２へ出力する。
【００１９】
体調判定部１２は社員ＩＤに紐づいて体調管理データベース１１０の個人管理情報に記録されている体温の統計値を取得する（ステップＳ１０６）。統計値は社員ＩＤに対応する社員の過去の体温の平均値であってよい。または統計値は社員ＩＤに対応する社員の過去の体温の平均値に所定の補正係数を加えた値であってよい。例えば補正係数は現在時刻が朝方の時間帯である場合には「０」、夕方１６時近傍の時刻である場合には「＋０．５℃」など、時間帯や季節に応じて変化する体温のリズムに合わせて、現在時刻に応じた基準値となるよう体温を補正する補正係数であってよい。
【００２０】
体調判定部１２は第二センシング情報に含まれる赤外線画像データを取得する。体調判定部１２は赤外線画像データの各画素のＲＧＢ値に基づいて、撮影した社員の体温を検出する（ステップＳ１０７）。体調判定部１２が赤外線画像データに基づいて体温を検出する手法は公知の技術を利用すればよい。体調判定部１２は当該社員の統計値と現在の体温とを比較する。体調判定部１２は検出した社員の体温と、当該社員の体温の統計値に基づいて発熱状態であるかを判定する（ステップＳ１０８）。体調判定部１２は社員の現在の体温が統計値＋加算値より大きい場合には、当該社員は発熱状態であると判定する。加算値は例えば１℃などの値であってよい。体調判定部１２は発熱状態である場合には発熱時の管理制御を行うよう指示する管理指示信号を管理部１３へ出力する。管理指示信号には個人特定部１１によって特定された社員ＩＤと現在の体温とが含まれる。
【００２１】
管理部１３は社員ＩＤに紐づいて体調管理データベース１１０に記録されている社員の個人管理情報を抽出する。個人管理情報には、社員ＩＤに紐づいて上述した体温の統計値の他、例えば社員名、当該社員が入室する一つまたは複数の業務エリアのエリアＩＤ、などの情報が含まれる。管理部１３は社員名を読み取り、入場ゲートに設置されている警告装置に出力する（ステップＳ１０９）。警告装置は制御対象装置３の一態様である。警告装置は社員名を取得すると、社員名を音声で読み上げると共に、発熱状態であることを示すアナウンスをスピーカから出力する。これにより入場ゲートを通過する社員は、その通過時に自身が発熱状態であることを認識することができる。
【００２２】
体調管理データベース１１０は、発熱状態である場合に入ることのできない１つまたは複数の業務エリアのエリアＩＤを社員ＩＤに紐づけて記憶する。管理部１３は社員ＩＤに基づいて発熱状態である場合に入ることのできない１つまたは複数の業務エリアのエリアＩＤを体調管理データベース１１０から読み取る（ステップＳ１１０）。管理部１３は社員ＩＤと当該社員が入ることのできない業務エリアのエリアＩＤを紐づけて体調管理データベース１１０のエリア管理テーブルに記録する（ステップＳ１１１）。
【００２３】
制御部１０は未処理の処理フラグの情報に紐づいてＨＤＤ１０４に記録されている第一センシング情報と第二センシング情報の対があるかを判定する（ステップＳ１１２）。未処理の処理フラグの情報に紐づいてＨＤＤ１０４に記録されている第一センシング情報と第二センシング情報の対がある場合にはステップＳ１０２からの処理を繰り返す。また制御部１０は処理が終了かを判定する（ステップＳ１１３）。終了でない場合には上述のステップＳ１０２からの処理が繰り返される。
【００２４】
図５は第一の実施形態による体調管理装置の処理フローを示す第二の図である。
社員は業務を行う場合には各業務エリアのエリアゲートを通過する。各エリアゲートには顔画像カメラ２１が設置されている。エリアゲートの顔画像カメラ２１はエリアゲートを通過する社員の顔を撮影して顔画像データを生成する。エリアゲートの顔画像カメラ２１は顔画像データとカメラＩＤとを含むセンシング情報を体調管理装置１へ送信する。体調管理装置１の制御部１０はエリアゲートの顔画像カメラ２から顔画像データを含む第三センシング情報を受信する（ステップＳ２０１）。制御部１０はそのセンシング情報に含まれる顔画像データを個人特定部１１へ出力する。個人特定部１１は上述と同様の処理により社員ＩＤを特定する（ステップＳ２０２）。個人特定部１１は管理部１３へ社員ＩＤとカメラＩＤとを含む管理指示情報を管理部１３へ出力する。管理部１３は管理指示情報を取得する。
【００２５】
カメラＩＤが示す顔画像カメラ２１は、業務エリアの入口に設置されるためカメラＩＤとエリアＩＤとを予め紐づけて記憶しておくことができる。従って管理部１３は管理指示情報を受信すると、この記憶している情報に基づいて、管理指示情報に含まれるカメラＩＤに対応するエリアＩＤを特定する（ステップＳ２０３）。これにより管理部１３は社員が通過しようとする業務エリアを特定することができる。管理部１３は社員ＩＤとエリアＩＤとが紐づいてエリア管理テーブルに記録されているかを判定する（ステップＳ２０４）。管理部１３は社員ＩＤとエリアＩＤとが紐づいてエリア管理テーブルに記録されている場合、エリアＩＤに紐づいて記録される当該エリアに設置されるゲート装置に対してゲート閉信号を出力する（ステップＳ２０５）。これによりゲート装置はゲートを開にすることを停止する。ゲート装置はゲート閉信号の受信に基づいて入室できないことを示すアナウンス音声をスピーカから出力するようにしてもよい。これにより発熱状態の社員に対して予め特定された所定の業務エリアに立ち入ることを禁止する制御を自動で行うことができる。管理部１３は社員ＩＤとエリアＩＤとが紐づいてエリア管理テーブルに記録されていない場合、エリアＩＤに紐づいて記録される当該エリアに設置されるゲート装置に対してゲート開信号を出力する（ステップＳ２０６）。これによりゲート装置はゲートを開にする。ユーザはゲート装置を通過して業務エリアに入ることができる。
【００２６】
以上の処理によれば社員個人ごとの体温の統計値を記憶しておき、この統計値に基づいて社員が発熱状態であるかを判定し、発熱状態である場合のエリア入場制限等の管理制御を行っている。従って、管理対象者の個人それぞれについて適切な体調判定に基づく管理とその個人に応じた装置の制御を体調管理装置による簡易な構成で行うことができる。
【００２７】
＜第二の実施形態＞
図６は第二の実施形態による管理システムの構成を示すブロック図である。
次に体調管理装置１が幼稚園で利用される場合の例について説明する。
第二の実施形態による管理システムは幼稚園の入場ゲートに顔画像カメラ２１とサーマルカメラ２２が備わり、保育室や園庭にも顔画像カメラ２１とサーマルカメラ２２が備わる。
【００２８】
図７は第二の実施形態による体調管理装置の処理フローを示す第一の図である。
体調管理装置１は幼稚園の園児の体調管理を行う。まず幼稚園の入場ゲートに顔画像カメラ２１と、サーマルカメラ２２が設置されている。顔画像カメラ２１は入場ゲートを通過する園児の顔画像データと撮影時刻とカメラＩＤとを含む第一センシング情報を体調管理装置１へ送信する。サーマルカメラ２２は園児の顔の赤外線画像データと撮影時刻とカメラＩＤとを含む第二センシング情報を体調管理装置１へ送信する。体調管理装置１は顔画像データを含む第一センシング情報と赤外線画像データを含む第二センシング情報とを受信する（ステップＳ３０１）。制御部１０はカメラＩＤと撮影時刻に基づいて対応する第一センシング情報に含まれる顔画像データと、第二センシング情報に含まれる赤外線画像データとの対応関係を特定する。制御部１０は顔画像データと赤外線画像データとの対応関係に基づいて、対応する第一センシング情報と第二センシング情報とを未処理を示す処理フラグに紐づけてＨＤＤ１０４等の記憶部に一時的に記録する。制御部１０は第一センシング情報と第二センシング情報を受信する度に、上記の処理を繰り返す。
【００２９】
個人特定部１１は未処理の処理フラグの情報に基づいてＨＤＤ１０４から第一センシング情報と第二センシング情報との対を特定し、その各センシング情報を読み取る（ステップＳ３０２）。制御部１０は読み取られた第一センシング情報と第二センシング情報とに紐づく処理フラグを処理済みに更新する。個人特定部１１は読み取った第一センシング情報に含まれる顔画像データを読み取る。個人特定部１１は顔画像データから顔特徴情報を抽出する。個人特定部１１は生体情報データベース１２０に記録されている多数の園児の顔特徴情報を順に読み取り、顔画像データから新たに抽出した顔特徴情報と順に比較する（ステップＳ３０３）。当該比較において個人特定部１１は比較する個人特徴情報の類似度を算出する。当該類似度の算出は公知の技術を用いればよい。個人特定部１１は顔画像データから新たに抽出した顔特徴情報との類似度が所定の閾値以上であって最も類似度が高い顔特徴情報を、生体情報データベース１２０に記録されている多数の顔特徴情報の中から特定する（ステップＳ３０４）。個人特定部１１は特定した顔特徴情報に紐づいて生体情報データベース１２０に記録されている園児ＩＤを特定する（ステップＳ３０５）。この園児ＩＤは顔画像データの顔に対応する園児を特定する識別情報である。個人特定部１１は園児ＩＤを体調判定部１２へ出力する。
【００３０】
体調判定部１２は園児ＩＤに紐づいて生体情報データベース１２０の個人管理情報に記録されている体温の統計値を取得する（ステップＳ３０６）。統計値は園児ＩＤに対応する園児の過去の体温の平均値であってよい。または統計値は園児ＩＤに対応する園児の過去の体温の平均値に所定の補正係数を加えた値であってよい。例えば補正係数は現在時刻が朝方の時間帯である場合には「０」、夕方１６時近傍の時刻である場合には「＋０．５℃」など、時間帯に応じて変化する体温のリズムに合わせて、現在時刻に応じた基準値となるよう体温を補正する補正係数であってよい。補正係数は季節に応じた基準値となるよう体温を補正する値であってもよい。
【００３１】
体調判定部１２は第二センシング情報に含まれる赤外線画像データを取得する。体調判定部１２は赤外線画像データの各画素のＲＧＢ値に基づいて、撮影した園児の体温を検出する（ステップＳ３０７）。体調判定部１２が赤外線画像データに基づいて体温を検出する手法は公知の技術を利用すればよい。体調判定部１２は当該園児の体温の統計値と、当該園児の現在の体温とを比較する。体調判定部１２は当該園児の体温の統計値と、当該園児の現在の体温とに基づいて発熱状態かを判定する（ステップＳ３０８）。体調判定部１２は園児の現在の体温が統計値＋加算値より大きい場合には、当該園児は発熱状態であると判定する。加算値は例えば１℃などの値であってよい。体調判定部１２は発熱状態である場合には発熱時の管理制御を行うよう指示する管理指示信号を管理部１３へ出力する。管理指示信号には個人特定部１１によって特定された園児ＩＤと現在の体温とが含まれる。
【００３２】
管理部１３は園児ＩＤに紐づいて体調管理データベース１１０に記録されている園児の個人管理情報を抽出する。個人管理情報には、園児ＩＤに紐づいて上述した体温の統計値の他、例えば園児名、保護者電話番号などの情報が含まれる。管理部１３は園児名と保護者電話番号を読み取り、所定の端末装置に出力する（ステップＳ３０９）。端末装置は通信先装置４の一態様である。端末装置は園児名と保護者電話番号とを示す発熱画面を出力する。これにより、園児を管理する先生、幼稚園の事務員などは保護者に対して園児が発熱していることを通知する連絡を行うことができる。また登園時に保護者が共に登園している場合には帰宅を促すことができる。
【００３３】
制御部１０は未処理の処理フラグの情報に紐づいてＨＤＤ１０４に記録されている第一センシング情報と第二センシング情報の対があるかを判定する（ステップＳ３１０）。未処理の処理フラグの情報に紐づいてＨＤＤ１０４に記録されている第一センシング情報と第二センシング情報の対がある場合にはステップＳ１０２からの処理を繰り返す。また制御部１０は処理が終了かを判定する（ステップＳ３１１）。終了でない場合には上述のステップＳ３０２からの処理が繰り返される。
【００３４】
体調管理装置１は園児が保育室や園庭で遊ぶ際にも入場ゲートにおける監視と同様の監視を行うようにしてよい。つまり、保育室や庭園に設置されている顔画像カメラ２１は庭園で遊ぶ園児の顔画像データと撮影時刻とカメラＩＤとを含む第一センシング情報を体調管理装置１へ送信する。保育室や庭園に設置されているサーマルカメラ２２は園児の顔の赤外線画像データと撮影時刻とカメラＩＤとを含む第二センシング情報を体調管理装置１へ送信する。そして体調管理装置１は、上記と同様に園児が発熱状態かを判定して、発熱状態である場合に所定の装置へ園児名と保護者電話番号との情報を送信するようにしてよい。
【００３５】
図８は体調管理装置の最小構成を示す図である。
体調管理装置１は少なくとも体調判定部１２、管理部１３を備えればよい。
体調判定部１２は、個人について取得した生体情報の計測値と、当該個人について予め蓄積された生体情報の統計値とに基づいて当該個人の体調判定を行う。
管理部１３は、体調判定の結果に基づいて個人の管理制御を行う。
【００３６】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３８】
１・・・体調管理装置
１０・・・制御部
１１・・・個人特定部
１２・・・体調判定部
１３・・・管理部
２１・・・顔画像カメラ
２２・・・サーマルカメラ
３・・・制御対象装置
４・・・通信先装置
１１０・・・体調管理データベース
１２０・・・生体情報データベース
【図１】
2019192035.tif 000003
【図２】
2019192035.tif 000004
【図３】
2019192035.tif 000005
【図４】
2019192035.tif 000006
【図５】
2019192035.tif 000007
【図６】
2019192035.tif 000008
【図７】
2019192035.tif 000009
【図８】
2019192035.tif 000010
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
特定された個人について取得した生体情報の計測値と、当該個人について予め蓄積された前記生体情報の統計値とに基づいて当該個人の体調判定を行う体調判定部と、
前記体調判定の結果に基づいて前記個人の管理制御を行う管理部と、
を備え、
前記管理部は、前記個人が入ることのできる複数のエリアのうち前記体調判定の結果に基づいて特定した一つまたは複数の入ることのできないエリアの識別情報を記録し、前記入ることのできないエリアへの進入を検知する装置から前記個人の情報を取得した場合に、当該エリアへ進入を規制するゲート装置の動作を閉に制御する
体調管理装置。
【請求項２】
判定対象者の生体情報に基づいて前記個人を特定する個人特定部と、
を備える請求項１に記載の体調管理装置。
【請求項３】
前記個人特定部は前記判定対象者の顔画像に基づいて個人を特定する
請求項２に記載の体調管理装置。
【請求項４】
前記管理部は前記個人の業務に応じた入退出制御を行う
請求項１から請求項３の何れか一項に記載の体調管理装置。
【請求項５】
前記管理部は前記体調判定の結果を所定の装置に出力する
請求項１から請求項４の何れか一項に記載の体調管理装置。
【請求項６】
特定された個人について取得した生体情報の計測値と、当該個人について予め蓄積された前記生体情報の統計値とに基づいて当該個人の体調判定を行い、
前記体調判定の結果に基づいて前記個人の管理制御を行い、
前記管理制御において、前記個人が入ることのできる複数のエリアのうち前記体調判定の結果に基づいて特定した一つまたは複数の入ることのできないエリアの識別情報を記録し、前記入ることのできないエリアへの進入を検知する装置から前記個人の情報を取得した場合に、当該エリアへ進入を規制するゲート装置の動作を閉に制御する
体調管理方法。
【請求項７】
体調管理装置のコンピュータを、
特定された個人について取得した生体情報の計測値と、当該個人について予め蓄積された前記生体情報の統計値とに基づいて当該個人の体調判定を行う体調判定手段、
前記体調判定の結果に基づいて前記個人の管理制御を行う管理手段、
として機能させ、
前記管理手段は、前記個人が入ることのできる複数のエリアのうち前記体調判定の結果に基づいて特定した一つまたは複数の入ることのできないエリアの識別情報を記録し、前記入ることのできないエリアへの進入を検知する装置から前記個人の情報を取得した場合に、当該エリアへ進入を規制するゲート装置の動作を閉に制御する
プログラム。
【手続補正２】
【補正対象書類名】明細書
【補正対象項目名】０００６
【補正方法】変更
【補正の内容】
【０００６】
本発明の第１の態様によれば、体調管理装置は、特定された個人について取得した生体情報の計測値と、当該個人について予め蓄積された前記生体情報の統計値とに基づいて当該個人の体調判定を行う体調判定部と、前記体調判定の結果に基づいて前記個人の管理制御を行う管理部と、を備え、前記管理部は、前記個人が入ることのできる複数のエリアのうち前記体調判定の結果に基づいて特定した一つまたは複数の入ることのできないエリアの識別情報を記録し、前記入ることのできないエリアへの進入を検知する装置から前記個人の情報を取得した場合に、当該エリアへ進入を規制するゲート装置の動作を閉に制御することを特徴とする。
【手続補正３】
【補正対象書類名】明細書
【補正対象項目名】０００７
【補正方法】変更
【補正の内容】
【０００７】
本発明の第２の態様によれば、体調管理方法は、特定された個人について取得した生体情報の計測値と、当該個人について予め蓄積された前記生体情報の統計値とに基づいて当該個人の体調判定を行い、前記体調判定の結果に基づいて前記個人の管理制御を行い、前記管理制御において、前記個人が入ることのできる複数のエリアのうち前記体調判定の結果に基づいて特定した一つまたは複数の入ることのできないエリアの識別情報を記録し、前記入ることのできないエリアへの進入を検知する装置から前記個人の情報を取得した場合に、当該エリアへ進入を規制するゲート装置の動作を閉に制御することを特徴とする。
【手続補正４】
【補正対象書類名】明細書
【補正対象項目名】０００８
【補正方法】変更
【補正の内容】
【０００８】
本発明の第３の態様によれば、プログラムは、体調管理装置のコンピュータを、特定された個人について取得した生体情報の計測値と、当該個人について予め蓄積された前記生体情報の統計値とに基づいて当該個人の体調判定を行う体調判定手段、前記体調判定の結果に基づいて前記個人の管理制御を行う管理手段、として機能させ、前記管理手段は、前記個人が入ることのできる複数のエリアのうち前記体調判定の結果に基づいて特定した一つまたは複数の入ることのできないエリアの識別情報を記録し、前記入ることのできないエリアへの進入を検知する装置から前記個人の情報を取得した場合に、当該エリアへ進入を規制するゲート装置の動作を閉に制御することを特徴とする。